(57)【要約】      （修正有）【課題】投影された模様が万華鏡の様に或いはそれ以上に様相が千変万化し、様々なシーンにふさわしい雰囲気を醸し出すように演出する照明装置、及びその投影模様の変容方法を提供する。【解決手段】この照明装置は、重ね合わされた状態で相対的に変位可能な複数枚のシート１０２を備えている。複数枚のシート１０２は、不透明又は半透明のシート本体２１を備え、シート本体２１には多数の透光部が規則性をもって設けられている。透光部２２は、長方形の角部の４点と、その中心の１点の合計５点を基本ユニットとして、基本ユニットが２次元（シート全面）に規則正しく繰り返されている。複数枚のシート１０２は、相対的に回転、及び／又は平行移動可能で、且つ速度可変、停止可能であり、それらの変位が連動しても良い。複数枚のシート１０２の透光部２２が連通している部分を光が透過し、その光の集合が成す幾何学模様が照明光として投影される。【選択図】図１
2017059431.tif 000002
【特許請求の範囲】
【請求項１】
重ね合わされた状態で相対的に変位する複数枚のシートであって、不透明又は半透明のシート本体に規則性を持って設けられた多数の透光部を有し、光源から発せられた光が前記透光部を透過することで変容する模様を投影するようにした複数枚のシート体を備えていることを特徴とする照明装置。
【請求項２】
前記各シートの透光部は、各シートそれぞれの全面において同じ規則性を持って設けられていることを特徴とする請求項１に記載の照明装置。
【請求項３】
前記各シートの透光部はそれぞれ、長方形の角部の４点と、該長方形の中心の１点の合計５点を基本ユニットとして備えており、該ユニットは、長方形の隣り合う２つの辺の長さを２次元に繰り返すか、若しくは、一辺の長さとその辺の端部から対角線をなす線との角度とでもって規定できる長方形を２次元に繰り返すことで規定される位置に設けられていることを特徴とする請求項１又は２に記載の照明装置。
【請求項４】
前記透光部の繰り返しのピッチ、透光部の形状及び透光部の径が各シートそれぞれの全面で単一とされていることを特徴とする請求項１ないし３のいずれか一項に記載の照明装置。
【請求項５】
前記透光部の全ての面積をそれぞれのシート本体の面積で除した開口率が０．１以上、０．７５以下であることを特徴とする請求項１ないし４のいずれか一項に記載の照明装置。
【請求項６】
前記複数枚のシートのいずれかは、磁性体によって形成され、他のいずれかは、マグネットによって形成されていることを特徴とする請求項１ないし５のいずれか一項に記載の照明装置。
【請求項７】
請求項１乃至６のいずれか一項に記載の照明装置による投影模様の変容方法であって、
前記いずれかのシートを他のシートに対して相対的に回転運動させ、及び／又は前記いずれかのシートを他のシートに対して相対的に直進運動させることを特徴とする照明装置による投影模様の変容方法。
【請求項８】
前記いずれかのシートの回転運動及び／又は直進運動の速度を可変としていることを特徴とする請求項７に記載の照明装置による投影模様の変容方法。
【請求項９】
前記いずれかのシートは、任意の位置で一時的に停止することを特徴とする請求項７又は８に記載の照明装置による投影模様の変容方法。
【請求項１０】
前記いずれかのシートは、回転運動及び直進運動がそれぞれ、独立して運動できるとともに、独立して停止することができ、更に連動した運動が自在とされていることを特徴とする請求項７ないし９のいずれか一項に記載の照明装置による投影模様の変容方法。
【発明の詳細な説明】
【技術分野】
【０００１】
本発明は、影絵や幾何学模様のような種々の模様を被投影面に出現させる投光機能を備えた照明装置や様々なシーンにふさわしい雰囲気を醸し出すように照明するランプを備えた照明装置、及び照明装置によって投影される模様を変容させる投影模様の変容方法に関する。
【背景技術】
【０００２】
ピアノ演奏会やダンス会場、放送局のスタジオ、接待飲食店のような店舗などでは、投光機能を備えた照明装置が設置され、住居内の仏間、寝室、居間などでは、ランプのような照明装置が設置されることがある。このような照明装置から模様が投影されることで、壁面や天井面、床面などにその模様が映し出され、雰囲気を醸し出したり、或いは盛り上げたりすることができる。ただし、模様は、ランダムな位置のランダムな大きさの水玉模様だったり、晴天に浮かぶ雲などであったりするにすぎない。
【０００３】
また、ランプには、美しさや落ち着いた雰囲気などを演出の為の装飾用としても使用するランプシェードが備えられている。ただし、ランプシェードによって模様が投影されるとしても、その模様そのものが変容することはなく、雰囲気を十二分に醸し出すランプは提供されていない。
【０００４】
なお、特許文献１には、模様を変化させる光透過スクリーンが記載されている。この光透過スクリーンは、一部が透けて見えるプリント布地に線画または絵画をモチーフとして描いた光透過性のスクリーン材が２枚以上重ね合わされ、それぞれのスクリーン材が自動的に或いは断続的に直線移動したり止まったりすることで模様を変化させることが出来るようにしている。この光透過スクリーンは、部屋の仕切りなどとして用いられる。
【先行技術文献】
【特許文献】
【０００５】
【特許文献１】特表平８−５０５１９４号公報
【発明の概要】
【発明が解決しようとする課題】
【０００６】
模様を投影する従来の照明装置は、通常、投影された模様を変容させたり大きさを変容させたりする事は無い。また、特許文献１に記載された光透過スクリーンを照明装置に組み込んだとしても、模様の変容は、単調かつ予想される範囲内となり勝ちとなるため、雰囲気を醸し出したり、盛り上げたりするには十分なものとならない。
【０００７】
そこで本発明は、投影された模様が万華鏡の様に或いはそれ以上に千変万化し、その様相が様々なシーンにふさわしい雰囲気を醸し出すように照明する照明装置及び投影模様の変容方法を提供することを課題とする。
【課題を解決するための手段】
【０００８】
本発明に係る照明装置は、重ね合わされた状態で相対的に変位する複数枚のシートであって、不透明又は半透明のシート本体に規則性を持って設けられた多数の透光部を有し、光源から発せられた光が前記透光部を透過することで変容する模様を投影するようにした複数枚のシートを備えていることを特徴としている。
【０００９】
この照明装置によれば、不透明又は半透明のシート本体に形成された多数の透光部が規則性を持った位置に設けられていることにより、複数枚のシートが重ね合わされたたときに、各透光部が重なり合って連通する部分と、連通しない部分が現れることで被投影面などに投影される模様が出現する。そして重ね合わされた複数枚のシートが相対的に面内で変位することにより、連通する透光部の位置や形状などが変化し、これにより、被投影面などに投影された模様が千変万化のごとく変容する。
【００１０】
すなわち、本発明のシートの連通する透光部が作る模様は、照明装置によって被投影面に投影された模様の原型である。そして、投影された模様が、照明装置と被投影面との相対位置や角度で変容することは言うまでも無い。
【００１１】
また、前記本発明に係る照明装置の一態様として、前記各シートの透光部は、各シートそれぞれの全面において同じ規則性を持って設けられていてもよい。この照明装置によれば、各シートの透光部が各シートそれぞれの全面において同じ規則性を持って設けられていることにより、規則性のある同じ大きさの同じ模様をシート全面に出現させることができる。
【００１２】
また、前記本発明に係る照明装置の他態様として、前記各シートの透光部はそれぞれ、長方形の角部の４点と、該長方形の中心の１点の合計５点を基本ユニットとして備えており、該ユニットは、長方形の隣り合う２つの辺の長さを２次元に繰り返すか、若しくは、一辺の長さとその辺の端部から対角線をなす線との角度とでもって規定できる長方形を２次元に繰り返すことで規定される位置に設けられていてもよい。
【００１３】
この照明装置によれば、基本ユニットが長方形の角部の４点と、長方形の中心の１点の合計５点の透光部で構成されることにより、比較的複雑で比較的細部まで図形化した幾何学模様を出現させることができる。なお、長方形は、隣り合った辺の長さが異なる狭義の長方形だけでなく、四辺の長さが等しい正方形の両方を含む。
【００１４】
また、前記本発明に係る照明装置の異なる他態様として、前記透光部の繰り返しのピッチ、透光部の形状及び透光部の径が各シートそれぞれの全面で単一とされていてもよい。この照明装置によれば、シートが変位したときに孔部によって出現する模様を全面で統一して繰り返すことができる。
【００１５】
また、前記本発明に係る照明装置のさらに異なる他態様として、前記透光部の全ての面積をシート本体の面積（透光部の面積を含む）で除した開口率が０．１以上、０．７５以下とされていることがより好ましい。この照明装置によれば、開口率が０．１以上とされていることにより、光の大部分を遮蔽する機能を持たせることが出来る。開口率が０．４前後とした照明装置は、見やすい模様を出現させることが出来る。開口率が０．７５以下とした照明装置は、メリハリの付いた模様を出現させるとともに、シート本体が必要な機械的強度を有することができる。
【００１６】
また、前記本発明に係る照明装置のさらに異なる他態様として、前記複数枚のシートのいずれかは、磁性体によって形成され、他のいずれかは、マグネットによって形成されていてもよい。この照明装置によれば、複数枚のシートが磁気吸着され、重なり合った所定の相対位置の状態を維持することができる。
【００１７】
また、本発明に係る照明装置による投影模様の変容方法は、前記いずれかのシートを他のシートに対して相対的に回転運動させ、及び／又は前記いずれかのシートを他のシートに対して相対的に直進運動させることを特徴としている。
【００１８】
この照明装置による投影模様の変容方法によれば、いずれかのシートを他のいずれかのシートに対して相対的に回転運動させることにより、又は、相対的に直進運動させることにより、又は、相対的に回転運動と直進運動とをさせることにより、重なり合った複数枚のシートの各透光部の重なった状態が変容し、連通する透光部によって出現する幾何学模様を万華鏡のように千変万化させることができる。また、いずれかのシートを、回転した後、回転が停止した状態で直進するようにすれば、いずれかのシートが回転することで出現した模様が、少なくとも肉眼で変容することなく、そのシートの直進方向と直交する方向に直進・移動させることが出来る。
【００１９】
また、前記本発明に係る照明装置による投影模様の変容方法の一態様として、前記いずれかのシートの回転運動及び／又は直進運動の速度を可変としていてもよい。この照明装置による投影模様の変容方法によれば、シートの回転運動及び／又は直進運動の速度が可変とされていることにより、連続的に変容する模様を予測できないように出現させることができる。或いは模様が著しく緩やかな変容でもって、静かでくつろいだ雰囲気を出現させることが出来る。
【００２０】
また、前記本発明に係る照明装置による投影模様の変容方法の他態様として、前記いずれかのシートは、任意の位置で一時的に停止するようにしてもよい。この照明装置による模様の変容方法によれば、連続的に変容していた模様が停止するので、次の移動や変容を想像又は期待意識が芽生えるようにすることができると共に、一時的に変容の無い静寂の空間を演出することも出来る。
【００２１】
また、前記本発明に係る照明装置による投影模様の変容方法の異なる他態様として、前記いずれかのシートは、回転運動及び直進運動がそれぞれ、独立して運動できるとともに、独立して停止することができ、更に連動した運動が自在とされていてもよい。この照明装置による模様の変容方法によれば、いずれかのシートが独立して運動し、停止し、更に連動した運動が自在とされることにより、連続的に変容する模様に加えて一時的な静止という変容が加えられる。
【発明の効果】
【００２２】
本発明によれば、投影された模様が万華鏡の様に或いはそれ以上に様相が千変万化し、様々なシーンにふさわしい雰囲気を醸し出すように照明する照明装置及び投影模様の変容方法を提供することが出来る。
【図面の簡単な説明】
【００２３】
【図１】図１は、本発明に係る照明装置の第１実施形態の第１例を示す一部断面概略斜視図である。
【図２】図２は、本発明に係る照明装置の第１実施形態の第１例によって天井に投影された模様の一例を示す模式図である。
【図３】図３は、本発明に係る照明装置の第１実施形態の第１例に備えられ、模様を変容させる駆動機構を示す模式図である。
【図４】図４は、本発明に係る照明装置の第１実施形態の第２例を示す概略斜視図である。
【図５】図５は、本発明に係る照明装置の第１実施形態の第２例に備えられ、模様を変容させる駆動機構を示す模式図である。
【図６】図６（ａ）〜（ｄ）は、本発明に係る照明装置の第１実施形態の第２例によって投影される模様を示す模式図である。
【図７】図７は、本発明に係る照明装置の第２実施形態を示す斜視図である。
【図８】図８は、本発明に係る照明装置の第２実施形態によって投影された模様を示す模式図である。
【図９】図９（ａ）〜（ｅ）は、本発明に係る照明装置に備えられたシートを構成している透光部の位置を示す基本ユニットであって、それぞれ異なる実施形態を示す拡大正面図である。
【図１０】図１０は、本発明に係る照明装置に備えられたシートの全体を示す正面図である。
【図１１】図１１は、本発明に係る照明装置に備えられたシートを示す要部拡大正面図である。
【図１２】図１２（ａ）〜（ｇ）は、本発明に係る照明装置に備えられた２枚のシートによって出現した異なる模様を示す正面図である。
【図１３】図１３（ａ）〜（ｋ）は、本発明に係る照明装置に備えられた２枚のシートによって出現した他の異なる模様を示す正面図である。
【図１４】図１４（ａ）〜（ｇ）は、本発明に係る照明装置に備えられた２枚のシートによって出現した他の異なる模様を示す正面図である。
【図１５】図１５は、本発明に係る照明装置に備えられた３枚のシートによって出現した模様を示す正面図である。
【図１６】図１６は、本発明に係る照明装置に備えられた３枚のシートによって出現した異なる模様を示す正面図である。
【発明を実施するための形態】
【００２４】
本発明に係る照明装置及びこの照明装置による投射模様の変容方法の実施形態について図１ないし図１６を参照しながら説明する。
【００２５】
図１ないし図３は本発明に係る照明装置をランプとして使用する例である。このランプは、吊り下げ型で、鉛直姿勢の円筒状のシェード１００と、このシェード１００内の中間部中心に配置された発光面積の小さな上向きの光源１０３と、この光源１０３上方であって、シェードの上部に設けられた複数枚のシート１０２を備えている。
【００２６】
シート１０２は、図１０及び図１１に示すように（同図のシート１０，２０は、四角形に形成されているため、図１のランプに適用する場合のシート１０２は、円形に形成される。また、シート１０２は、３枚以上であっても良い。）、不透明又は半透明のシート本体１１，２１に規則性をもって設けた多数の透光部１２，２２を有している。シート１０２は、金属板で成形されると、透光部１２，２２が貫通孔で構成され、プラスチックで成形されると、透光部１２，２２が透明で、シート本体１１，２１が不透明又は半透明に形成される。
【００２７】
このランプは、光源１０３から上向きに発せられた光が複数枚のシート１０２を透過することで、図２に示すような模様Ｐを天井面に投影する。なお、図２では、模様の一部がランプで隠されており、その隠された部分には、ランプを吊り下げている電気コード１０８やシート１０２の中心に吊下げコード１０８を挿通するための孔部１０２ａなどの投影模様が隠されている。
【００２８】
光源１０３は、シェード１０１内に架設されたバー１０７の中心部に上向きで固定される。
【００２９】
そして、照明装置は、図３に示すように、複数枚の円形のシート１０２の少なくとも１枚のシート１０２の外周部を囲む従動歯車１０４と、回転をコントロールされているモーター１０５と、このモーター１０５の回転軸に設けられた原動歯車１０６とを組み合わせた駆動機構を備え、原動歯車１０６が回転することで、シート１０２を相対的に回転させる。駆動機構は、減速機を備えても良く、モーター１０５は、ステッピングモータでもよい。
【００３０】
この実施形態において、「コントロール」とは、複数枚のシート１０２の相対的運動（回転・直進・速度変化・停止及びそれらの連動）をコントロールすることを言う。また、「コントローラ」とは、予め決められた運動パターンを自立的に遂行する装置、又は外部からの信号を運動に変換する装置を言う。なお、図１には、駆動機構やコントローラ、あるいはそれらの保持手段のような特に説明を要しない部分を描いていない。
【００３１】
そして、本発明に係る照明装置は、図４及び図５に示すような角筒状のシェード２００を備えた吊り下げ型のランプとしても良い。図示した角筒状のシェード２０１は、４枚の平板２０１を有する四角筒状であるが、三角筒状体であっても、五角以上の筒状であっても良い。いずれにしても各平板２０１には、円形の開口部２０１ａが設けられている。また、各平板２０１の内側に複数枚のシート２０２，２０３が配置され、開口部２０１ａから露出する。シート２０２，２０３は、図５に示すように、円形のシート２０２と長尺状のシート２０３とが配置されている。
【００３２】
そして、このランプは、円形のシート２０２の外周部を囲む従動歯車２０４と、この従動歯車に噛み合って円形のシート２０２を回転させる２個以上の原動歯車２０５とを組み合わせた駆動機構を備えている。そして、長尺のシート２０３は、平行に配置された一対のローラ２０６，２０７に巻かれ、例えば一方のローラ２０６から繰り出されつつ他方のローラ２０７に巻き取られる。一対のローラ２０６，２０７の間隔は、当然ながら円形のシート２０２の直径よりも広くされている。なお、図示した一対のローラ２０６，２０７は上下方向に配置されているが、左右方向に配置されても良い。
【００３３】
また、角筒状のシェード２００内の中心には、全周に向けて発光する光源（図示せず）が配備されている。この光源から発せられた光が複数枚のシート２０２，２０３を透過することで、壁面に図６（ａ）〜（ｄ）に示すような模様Ｐａ〜Ｐｄが投影される。各平板２０１の裏面で重なっている複数枚のシート２０２，２０３の状態が異なることで、該シート２０２，２０３によって出現した模様Ｐａ〜Ｐｄは、図６（ａ）〜（ｄ）に示すようにそれぞれ室内の各壁面に異なって投影される。
【００３４】
次に、本発明に係る照明装置の一実施形態について図７を参照しながら説明する。この照明装置は、投光機能を備えた吊り下げ型で、ほぼ水平姿勢の有底筒状のカバー３００と、このカバー３００内に配置された光源（図示せず）と、カバー３００の開口部に配置された複数枚のシート３０２と、カバー３００内に収納され、シート３０２を相対的に回転させる駆動機構（図示せず）を備えている。駆動機構は、図３に示した駆動機構のように構成され、さらに、カバー３００の向きを変更させる機構を備えていても良い。
【００３５】
この照明装置も、光源から発せられた光が複数枚のシート３０２を透過することで、図８（ａ）（ｂ）に示すような模様Ｐが床面や壁面などに投影される。２枚のシート３０２の相対角度が０°の場合は、図８（ａ）に示すように、２枚のシートがあたかも１枚の様に見え、一方のシート３０２を他方のシート３０２に対して２５°傾けた場合は、図８（ｂ）に示すような花柄模様が出現する。
【００３６】
ここで、前記各照明装置に備えられたシート１０２，２０２，２０３，３０２，４０２（以下、第１シート１０と第２シート２０の２枚として説明する。）について図９ないし図１４を参照しながら説明する。第１シート１０と第２シート２０は、重ね合わされて相対的に変位するもので、それぞれ不透明又は半透明のシート本体１１，２１に多数の透光部１２，２２を設けたものである。透光部１２，２２は、図９（ａ）〜（ｅ）に示すような基本ユニットＡ〜Ｅが規則性をもってシート本体の一部又は全面に２次元に広がった位置に設けられている。
【００３７】
基本ユニットＡ〜Ｅは、長方形（長方形は、隣り合った辺の長さが異なる狭義の長方形だけでなく、四辺の長さが等しい正方形の両方を含む。）の角部の４点と、長方形の中心の１点の合計５点を基本ユニットとし、長方形の２辺の長さ及びその比でもって区別している。
【００３８】
中心の１点は、長方形の対角線の交点であり、換言すれば、長方形の向き合った各縦の辺の中心同士と各横の辺の中心同士を結んだ２本の直線の交点のことである。そして、各基本ユニットＡ〜Ｅのいずれか１つが第１シート１０の全面又は一部に繰り返し並んでいて、更に各基本ユニットＡ〜Ｅのいずれか一つが第２シート２０の全面又は一部に繰り返し並ぶ様に設けている。勿論、基本ユニットＡ〜Ｅが図９の５種類に限定されることは無い。
【００３９】
なお、１枚のシート１０，２０の中に形成されている基本ユニットＡ〜Ｅは、一つであっても良い。
【００４０】
具体的に説明すると、図９（ａ）に示す基本ユニットＡは、長方形の長辺が４．３４ｍｍ、短辺が２．５ｍｍであり、図９（ｂ）に示す基本ユニットＢは、長方形の長辺が３．２７ｍｍ、短辺が２．１ｍｍであり、図９（ｃ）に示す基本ユニットＣは、長方形の長辺が３．９ｍｍ、短辺が２．１ｍｍであり、図９（ｄ）に示す基本ユニットＤは、長方形の長辺が２．５ｍｍ、短辺が２．１７ｍｍであり、図９（ｅ）に示す基本ユニットＥは、各辺が２．５ｍｍの正方形である。
【００４１】
そして、いずれの基本ユニットＡ〜Ｅにおいても、透光部１２，２２は円形であり、その径Φは、見やすい模様が出現するように、例えば１．０ｍｍ、１．４ｍｍ、２．０ｍｍ、２．１ｍｍなどに形成される。また、透光部１２の全ての面積をシート本体１１の面積（透光部１２の面積を含む。）で除した値を開口率ｋとすると、基本ユニットＡにおいて、第１シート１０における透光部１２の径Φが２．２ｍｍであれば、開口率ｋは０．７００となり、透光部１２の口径Φが１．０ｍｍであれば、開口率ｋは０．１４５となる。第２シート２０における透光部２２とシート本体２１についても同様である。
【００４２】
同様に、基本ユニットＢにおいて、透光部１２の径Φが１．５ｍｍであれば、開口率ｋは０．５１４となる。基本ユニットＣにおいて、透光部１２の径Φが１．７ｍｍであれば、開口率ｋは０．５５４となる。基本ユニットＤにおいて、透光部１２の径Φが１．４ｍｍであれば、開口率ｋは０．５６７となる。基本ユニット（ｅ）において、透光部１２の径Φが１．４ｍｍであれば、開口率ｋは０．４９２となる。他の基本ユニットについても、同様に開口率ｋが計算できる。
【００４３】
ここで、本発明の重要な要素である投影模様が出現する理由について、図１０及びその部分拡大図である図１１を参照しながら説明する。
【００４４】
第１シート１０と第２シート２０とが、図１０に示すように、相対的に少し回転した場合には、境界がはっきりしない六角形の模様が、隙間無く規則正しく現れる。
【００４５】
図１０、図１１では、２枚のシート１０，２０の透光部１２，２２が重なって連通している部分を光が透過し、シート本体１１，２１が重なっている部分を光が透過しないことで影となり、模様が出現する。
【００４６】
２枚のシートの透光部１２，２２の重なり具合は、拡大すると図１１に示すようになる。
【００４７】
ここで、第１シート１０と第２シート２０によって出現する模様について図１２ないし図１６を参照しながら説明する。ここでは、第１シート１０を固定し、第２シート２０を変位（回転運動又は直線往復動のような動作）させる場合について説明する。第２シート２０は、図３に示した駆動機構によって回転運動することで変位し、図５に示した駆動機構によって回転運動と直線運動することで変位する。なお、図５に示した駆動機構が従動歯車２０４及び原動歯車２０５を備えないことにより、又は、駆動しないようにすることにより、第２シート２０が直線運動することで変位するようにすることもできる。
【００４８】
例えば、第１シート１０と第２シート２０がともに基本ユニットＡに径Φ２．２ｍｍの透光部１２，２２を形成したもの（Ａ２．２）である場合において、第１シート１０を固定し、第２シート２０を２°回転したときは、図１０及び図１１に示すような模様が出現する。
【００４９】
このような第１シート１０と第２シート２０とを備えた照明装置は、図５に示す各シート１０，２０の透光部１２，２２のみを光が透過して、天井面や壁面、床面、スクリーンなどに投影される。この事は以下の模様、及び本発明の模様全てが当てはまる。
【００５０】
このシートが着色された半透明とされておれば、投影された模様もまた、その一部が加色される。
【００５１】
第１シート１０と第２シート２０がともに基本ユニットＤに径Φ１．４ｍｍの透光部１２，２２を形成したもの（Ｄ１．４）において、第１シート１０を固定し、第２シート２０を−１０°から＋１０°までの範囲の角度で回転したときに出現する模様は、それぞれ図１２（ａ）〜（ｇ）に示すように変容する。
【００５２】
また、第１シート１０と第２シート２０がともに基本ユニットＡに径Φ２．２ｍｍの透光部１２，２２を形成したもの（Ａ２．２）において、第１シート１０を固定し、第２シート２０を＋２°、−２°、＋５°、−５°、＋１０、−１０°、＋１５°、−１５°、＋２０°、−２０°と回転したときに出現する模様は、それぞれ図１３（ａ）〜（ｋ）に示すように変容する。第２シート２０の回転角度の絶対値が同じ場合は、同じ模様が出現する。
【００５３】
また、第１シート１０が基本ユニットＡに径Φ２．２ｍｍの孔部１２，２２を形成したもの（Ａ２．２）であり、第２シート２０が基本ユニットＡに径Φ１．４ｍｍの透光部１２，２２を形成したもの（Ａ１．４）において、第１シート１０を固定し、第２シート２０を第１シート１０に対して２°傾斜（回転後に回転を停止）させ、基本ユニットの短辺方向（図面において上下方向）に＋１ｍｍから−１ｍｍまで移動したときに出現する模様は、図１４（ａ）〜（ｇ）に示すように変容する。図１４の例においては、第２シートを上方（プラス表示）へ移動すると、比例して模様が右方へ移動する。
【００５４】
この模様は、六角形状の比較的明るい部分が最密充填的に積み重なるように出現し、基本ユニットＡの長辺方向（図面において左右方向）に移動（直進運動）しているように見える。すなわち、第２シート２０が傾斜することで出現した模様が、少なくとも肉眼で変容することなく、第２シート２０の直進方向と直交する方向に移動する。そして、この模様が移動する速度は上記第２シート２０が移動する速度に比例・連動しており、第２シート２０の移動方向が逆転すると、模様の移動方向も逆転する。
【００５５】
更に、図５に示した駆動装置を使用することで、第１シート１０と第２シート２０の相対角度が変容し、照明装置によって出現する幾何学模様は千変万化する。
【００５６】
以上の実施形態は、シート１０，２０が２枚の場合であるが、３枚以上のシートを備えても差し支えない。
【００５７】
例えば、図９に示す基本ユニットＣで経Φ１．０の透光部を明けた３枚のシート１０，２０，３０を重ねた場合では、図１５に示すような模様Ｐが出現する。この模様Ｐは、１枚目のシート１０に対して２枚目のシート２０が３°、３枚目のシート３０が１０°回転している。３枚のシート１０，２０，３０によって出現する模様Ｐは、２枚のシート１０，２０では出現できない複雑で美しいものとなる。
【００５８】
該３枚目のシート３０の角度を変えると模様Ｐも連続的に変容する。例えば、１枚目のシート１０に対して２枚目のシート２０の角度を３°、３枚目のシート３０の角度を３０°とした場合には、図１６に示す模様Ｐが出現する。
【００５９】
更に３枚のシート１０，２０，３０によって出現する模様は、連続的に変容するのであり、これらの変容に出発も終点も無い。
【００６０】
このような回転したり移動したりする複数枚のシート１０，２０（，３０，…）が備えられた照明装置は、壁面や天井、床面などに出現する模様Ｐの形状や大きさが変容したり、その模様Ｐの位置を右・左或いは上・下へ流れさせたりすることが出来る。
【００６１】
また、重なり合った複数枚のシート１０，２０（，３０，…）が相対的に変位することにより、出現する模様が万華鏡のように千変万化する。この千変万化は連続的であり、同時に変容のスピードが速まったり落ちたり止まったりしてから、最初の模様に戻ることも可能である。
【００６２】
他方で、幾何学模様の形態は変えずにその大きさだけをきわめてゆっくりと変容させることが出来、さらにその変容を停止し、そしてその変容を逆に辿ることが出来る。この様な変容は落ち着いた雰囲気を醸し出すことが出来る。
【００６３】
なお、本発明は、上記実施形態に限定することなく種々変更することができる。すなわち、基本ユニットＡ〜Ｅ及び繰り返し単位の大きさ、並びに透光部１２，２２の径Φのサイズは、上記具体例に限定されないことはいうまでもない。
【００６４】
また、透光部１２，２２は、円形に限定することなく、楕円形、星形、多角形、ハート形などの異形としてもよい。ただし、異形の透光部１２，２２は、その面積換算重心が円形の透光部１２，２２の面積換算重心と同じ位置に形成される。また、異形の透光部１２，２２の径Φは、１個の透光部１２，２２の開口面積と同等な面積を想定した円の直径とする。仮に、これらの透光部１２，２２が隣の透光部１２，２２と干渉（重なる）すると、シートの機械強度が著しく低下するので好ましく無い。
【００６５】
また、透光部１２，２２の径Φは任意であり、照明装置の目的や投影面の広さなどを考慮して設計される。開口率ｋは、０．１以上、０．７５以下であることが好ましい。開口率ｋが０．１未満であると、模様が暗くなるなど見にくくなる。開口率ｋが０．７５よりも大きいと、シート１０，２０の機械的強度が弱くなり、耐久性が乏しくなるだけでなく、模様が明るくなりすぎることで、模様の変容にメリハリが付きにくくなる。なお、一方のシート１０（２０）の開口率ｋが０．１に近いと、他方のシート２０（１０）の開口率ｋが０．４を超えるようにすることで、模様を視認しやすくすることができる。
【００６６】
また、仮に、透光部１２，２２の径Φを１ｍｍ未満とした場合に必要な開口率ｋを得られるように、隣り合った透光部１２，２２の間隔を短くすると、幾何学模様独特の図柄が小さくなってしまうが、本発明の照明装置においては拡大された模様が投影される。
【００６７】
一方、透光部１２，２２の径Φの上限は、照明装置の使用場所や用途によって異なり、適宜、設定される。ただしいずれの用途であっても、透光部１２，２２同士が干渉しないように形成されることはいうまでもない。
【００６８】
また、上記実施形態では、基本ユニットＡ〜Ｅが同じ第１シート１０と第２シート２０とを重ね合わせたもの、そして、異なる基本ユニットＡ〜Ｅの第１シート１０とを第２シート２０を重ね合わせたものとした。この異なる基本ユニットＡ〜Ｅの第１シート１０の透光部１２，２２と第２シート２０の透光部１２，２２の各径Φが異なる場合において、大きい径Φを小さい径Φで除した径比は、２以下であることが好ましい。径比が２を超えると、大きな径の透光部１２，２２を通過する光量が支配的となり、２枚のシートの相対的な移動で出現する模様が単調になるからである。
【００６９】
また、本発明に係る照明装置は、第１シート１０と第２シート２０の基本ユニットＡ〜Ｅが同じで且つ径が同じの照明装置において、径を変更せずにいずれか片方のシート１０（若しくは２０）の透光部１２（若しくは２２）の繰り返しのピッチを異なるようにしてもよい。このような照明装置にあっては、大きなピッチを小さなピッチで除した値を「繰返し寸法の比」とすると、この繰返し寸法の比は１．３以下であることが好ましい。繰返し寸法の比が１．３よりも大きいと幾何学的模様が現れにくく、あるいは現れても不鮮明になるからである。
【００７０】
また、上記実施形態では、第１シート１０と第２シート２０の全面に基本ユニットＡ〜Ｅのそれぞれを、それぞれの長辺の長さと短辺の長さ（正方形の場合は一辺の長さ）でもって２次元的に繰り返すことで規定される位置において、シート全面を埋めるように設けた。ただし、基本ユニットＡ〜Ｅは、シート本体１１，２１の一部分に設けられてもよい。
【００７１】
また、上記実施形態では、各シート１０，２０は全て同じ基本ユニットＡ〜Ｅを備えているとした。ただし、第１シート１０及び第２シート２０は、ある部分に基本ユニットＡ、他の部分に基本ユニットＢというように異なる基本ユニットを組み合わせたものとしてもよい。また、上記実施形態では、各ユニットＡ〜Ｅの透光部１２，２２それぞれは、すべて同じ径Φに形成した。ただし、透光部１２，２２は、シート１０，２０の或る一部分を異なる径Φに形成してもよいし、円形と異形とを組み合わせたもの、さらに、異形だけを組み合わせたものとしてもよい。
【００７２】
また、上記実施形態の基本ユニットＡ〜Ｅは、２辺の長さを規定した長方形の角部の４点と、長方形の中心の１点の合計５点に透光部１２，２２を形成した。ただし基本ユニットＡ〜Ｅは、一辺の長さとその辺を基準とした角度でもって規定される長方形の頂点４点とその中心の１点の計５点としても良い。
【００７３】
なお、透光部１２，２２を四角形の辺の長さに基づいて形成した場合において、シート１０，２０を回転させたときは、回転中心から離れる透光部１２，２２ほどずれて重なり合う状態となる。ただし、シート１０，２０が回転運動をしていることにより、透光部１２，２２同士がずれていることに気付かれにくく、また、模様の千変万化にかき消されてしまう。
【００７４】
また、上記実施形態では、第１シート１０と第２シート２０のいずれか一方は、磁性体によって形成され、他方は、マグネットによって形成しても良い。こうすることにより、第１シート１０と第２シート２０とが磁気吸着され、移動した第２シート２０を確実に一時停止させることができる。ただし、第１シート１０と第２シート２０は、磁着されない金属やプラスチックや紙などで形成してもよい。
【００７５】
本発明において、シート本体１１，２１を半透明又は着色された半透明とすることはより好ましい実施態様である。投影された模様の一部が薄い影であったり、或いは着色されたりするのでより複雑な投影模様、或いは華やかな投影模様を実現することが出来る。
【符号の説明】
【００７６】
１０  シート（第１シート）
１１  シート本体
１２  透光部
２０  シート（第２シート）
２１  シート本体
２２  透光部
１００  シェード
１０２  シート
１０３  光源
２０２  シート
２０３  シート
３０２  シート
４０２  シート
Ａ，Ｂ，Ｃ，Ｄ，Ｅ  基本ユニット
【図１】
2017059431.tif 000003
【図２】
2017059431.tif 000004
【図３】
2017059431.tif 000005
【図４】
2017059431.tif 000006
【図５】
2017059431.tif 000007
【図６】
2017059431.tif 000008
【図７】
2017059431.tif 000009
【図８】
2017059431.tif 000010
【図９】
2017059431.tif 000011
【図１０】
2017059431.tif 000012
【図１１】
2017059431.tif 000013
【図１２】
2017059431.tif 000014
【図１３】
2017059431.tif 000015
【図１４】
2017059431.tif 000016
【図１５】
2017059431.tif 000017
【図１６】
2017059431.tif 000018
【手続補正書】
【提出日】平成28年8月8日(2016.8.8)
【手続補正１】
【補正対象書類名】特許請求の範囲
【補正対象項目名】全文
【補正方法】変更
【補正の内容】
【特許請求の範囲】
【請求項１】
重ね合わされた状態で相対的に変位する複数枚のシートであって、不透明又は半透明のシート本体に規則性を持って設けられた多数の透光部を有し、光源から発せられた光が前記透光部を透過することで変容する模様を投影するようにした複数枚のシート体を備え、該複数枚のシートのいずれかは、磁性体によって形成され、他のいずれかは、マグネットによって形成されていることを特徴とする照明装置。
【請求項２】
前記各シートの透光部は、各シートそれぞれの全面において同じ規則性を持って設けられていることを特徴とする請求項１に記載の照明装置。
【請求項３】
前記透光部の繰り返しのピッチ、透光部の形状及び透光部の径が各シートそれぞれの全面で単一とされていることを特徴とする請求項１又は２に記載の照明装置。
【請求項４】
前記透光部の全ての面積をそれぞれのシート本体の面積で除した開口率が０．１以上、０．７５以下であることを特徴とする請求項１ないし３のいずれか一項に記載の照明装置。
【請求項５】
請求項１乃至４のいずれか一項に記載の照明装置による投影模様の変容方法であって、
前記いずれかのシートを他のシートに対して相対的に回転運動させ、及び／又は前記いずれかのシートを他のシートに対して相対的に直進運動させることを特徴とする照明装置による投影模様の変容方法。
【請求項６】
前記いずれかのシートの回転運動及び／又は直進運動の速度を可変としていることを特徴とする請求項５に記載の照明装置による投影模様の変容方法。
【請求項７】
前記いずれかのシートは、任意の位置で一時的に停止することを特徴とする請求項５又は６に記載の照明装置による投影模様の変容方法。
【請求項８】
前記いずれかのシートは、回転運動及び直進運動がそれぞれ、独立して運動できるとともに、独立して停止することができ、更に連動した運動が自在とされていることを特徴とする請求項５ないし７のいずれか一項に記載の照明装置による投影模様の変容方法。
【手続補正２】
【補正対象書類名】明細書
【補正対象項目名】０００８
【補正方法】変更
【補正の内容】
【０００８】
本発明に係る照明装置は、重ね合わされた状態で相対的に変位する複数枚のシートであって、不透明又は半透明のシート本体に規則性を持って設けられた多数の透光部を有し、光源から発せられた光が前記透光部を透過することで変容する模様を投影するようにした複数枚のシート体を備え、該複数枚のシートのいずれかは、磁性体によって形成され、他のいずれかは、マグネットによって形成されていることを特徴としている。
【手続補正３】
【補正対象書類名】明細書
【補正対象項目名】００１０
【補正方法】変更
【補正の内容】
【００１０】
すなわち、本発明のシートの通過する透光部が作る模様は、照明装置によって被投影面に投影された模様の原型である。そして、投影された模様が、照明装置と被投影面との相対位置や角度で変容することは言うまでもない。
そして、この照明装置によれば、複数枚のシートが磁気吸着され、重なり合った所定の相対位置の状態を維持することができる。
【手続補正４】
【補正対象書類名】明細書
【補正対象項目名】００１２
【補正方法】削除
【補正の内容】
【手続補正５】
【補正対象書類名】明細書
【補正対象項目名】００１６
【補正方法】削除
【補正の内容】
【手続補正６】
【補正対象書類名】明細書
【補正対象項目名】００７４
【補正方法】変更
【補正の内容】
【００７４】
また、上記実施形態では、第１シート１０と第２シート２０のいずれか一方は、磁性体によって形成され、他方は、マグネットによって形成しても良い。こうすることにより、第１シート１０と第２シート２０とが磁気吸着され、移動した第２シート２０を確実に一時停止させることができる。